(57)【要約】【課題】収納装置の個数が増えた場合でも制御装置の処理負担を大きくなりにくくする。【解決手段】インターホンシステム１０は、取得部３９と、出力部３１と、を備える。取得部３９は、集合施設１００に含まれる１以上の第１施設１０１に対応付けられた収納装置９に関する第１情報を取得する。出力部３１は、第１施設１０１に設けられた第１端末１と第２施設１０２に設けられた第２端末２との少なくとも一方に対して、取得部３９が取得した第１情報に基づく第２情報を出力する。【選択図】図１
2020053717.tif 000002
【特許請求の範囲】
【請求項１】
集合施設に含まれる１以上の第１施設に対応付けられた収納装置に関する第１情報を取得する取得部と、
前記第１施設に設けられた第１端末と前記集合施設における前記第１施設とは異なる第２施設に設けられた第２端末との少なくとも一方に対して、前記取得部が取得した前記第１情報に基づく第２情報を出力する出力部と、を備える、
インターホンシステム。
【請求項２】
複数の前記収納装置が前記集合施設における異なる場所に設置されている、
請求項１に記載のインターホンシステム。
【請求項３】
前記取得部は、前記収納装置から前記第１情報が入力される入力装置を介して前記第１情報を取得する、
請求項１又は２に記載のインターホンシステム。
【請求項４】
前記入力装置は、前記第１端末である、
請求項３に記載のインターホンシステム。
【請求項５】
前記第２情報は、前記収納装置内の収納物の有無に関する収納情報を含む、
請求項１〜４のいずれか１項に記載のインターホンシステム。
【請求項６】
前記第２情報は、前記収納装置に収納される収納物に関する収納物情報を含む、
請求項１〜５のいずれか１項に記載のインターホンシステム。
【請求項７】
前記収納物情報は、前記第１端末に設けられた端末側操作部にて入力される入力情報を含む、
請求項６に記載のインターホンシステム。
【請求項８】
前記第２情報は、前記収納装置の種類に関する種類情報を含む、
請求項１〜７のいずれか１項に記載のインターホンシステム。
【請求項９】
前記取得部は、前記第２施設に設置されて前記第１施設に対応付けられていない他の収納装置に関する第３情報を更に取得する、
請求項１〜８のいずれか１項に記載のインターホンシステム。
【請求項１０】
前記第２施設は前記集合施設における共用玄関であり、
前記第２端末は、前記共用玄関に設置されるロビーインターホンを含み、
前記ロビーインターホンは、
前記第１端末を特定する端末情報の入力を受け付けるロビー操作部と、
前記ロビー操作部が前記端末情報の入力を受け付けた場合に前記第２情報を報知する報知部と、を有する、
請求項１〜９のいずれか１項に記載のインターホンシステム。
【請求項１１】
集合施設に含まれる１以上の第１施設に設けられた１以上の第１端末と、前記集合施設における前記第１施設とは異なる第２施設に設けられた第２端末と、を備えたインターホンシステムの通知方法であって、
前記第２端末が前記第１端末を呼び出す呼出処理と、
前記第２端末に呼び出されたことを前記第１端末が通知する第１通知処理と、
前記第１施設に対応付けられた収納装置が収納物を受け付ける受付処理と、
前記収納装置が前記収納物を受け付けたことを前記第１端末が通知する第２通知処理と、を含む、
インターホンシステムの通知方法。
【請求項１２】
集合施設に含まれる１以上の第１施設に対応付けられた収納装置に関する第１情報を取得する取得処理と、
前記第１施設に設けられた第１端末と前記集合施設における前記第１施設とは異なる第２施設に設けられた第２端末との少なくとも一方に対して、前記取得処理で取得した前記第１情報に基づく第２情報を出力する出力処理と、を含む、
インターホンシステムの制御方法。
【請求項１３】
コンピュータシステムに、
請求項１２に記載のインターホンシステムの制御方法を実行させるための制御用プログラム。
【発明の詳細な説明】
【技術分野】
【０００１】
本開示は、インターホンシステム、インターホンシステムの通知方法、インターホンシステムの制御方法、及び制御用プログラムに関する。より詳細には、本開示は、集合施設に適用されるインターホンシステム、インターホンシステムの通知方法、インターホンシステムの制御方法、及び制御用プログラムに関する。
【背景技術】
【０００２】
従来、マンション等の集合住宅に適用される集合住宅用のインターホンシステムが知られている（例えば特許文献１参照）。特許文献１に記載のインターホンシステムは、住戸インターホンと、ロビーインターホンと、制御装置と、宅配ボックスと、を備える。制御装置は、住戸インターホンとロビーインターホンとの呼出、通話を制御する。宅配ボックスは、部屋毎の宅配荷受箱を棚状に並べたもので、各荷受箱には着荷を検出する検出手段が設けられており、部屋番号を付加した着荷情報を制御装置に送信する。
【先行技術文献】
【特許文献】
【０００３】
【特許文献１】特開２０１２−１８２５４０号公報
【発明の概要】
【発明が解決しようとする課題】
【０００４】
特許文献１に記載のインターホンシステムでは、制御装置は、住戸インターホン（第１端末）とロビーインターホン（第２端末）との呼出、通話を制御するだけでなく、宅配ボックス（収納装置）からの着荷情報を取得するように構成されている。このため、荷受箱の個数が増えるに従って制御装置の処理負担が大きくなるという問題があった。
【０００５】
本開示の目的は、収納装置の個数が増えた場合でも制御装置の処理負担が大きくなりにくいインターホンシステム、インターホンシステムの通知方法、インターホンシステムの制御方法、及び制御用プログラムを提供することにある。
【課題を解決するための手段】
【０００６】
本開示の一態様に係るインターホンシステムは、取得部と、出力部と、を備える。前記取得部は、集合施設に含まれる１以上の第１施設に対応付けられた収納装置に関する第１情報を取得する。前記出力部は、第１端末と第２端末との少なくとも一方に対して、前記取得部が取得した前記第１情報に基づく第２情報を出力する。前記第１端末は、前記第１施設に設けられる。前記第２端末は、前記集合施設における前記第１施設とは異なる第２施設に設けられる。
【０００７】
本開示の一態様に係るインターホンシステムの通知方法は、１以上の第１端末と第２端末とを備えたインターホンシステムの通知方法である。前記第１端末は、集合施設に含まれる１以上の第１施設に設けられる。前記第２端末は、前記集合施設における前記第１施設とは異なる第２施設に設けられる。前記インターホンシステムの通知方法は、呼出処理と、第１通知処理と、受付処理と、第２通知処理と、を含む。前記呼出処理は、前記第２端末が前記第１端末を呼び出す処理である。前記第１通知処理は、前記第２端末に呼び出されたことを前記第１端末が通知する処理である。前記受付処理は、前記第１施設に対応付けられた収納装置が収納物を受け付ける処理である。前記第２通知処理は、前記収納装置が前記収納物を受け付けたことを前記第１端末が通知する処理である。
【０００８】
本開示の一態様に係るインターホンシステムの制御方法は、取得処理と、出力処理と、を含む。前記取得処理は、集合施設に含まれる１以上の第１施設に対応付けられた収納装置に関する第１情報を取得する処理である。前記出力処理は、第１端末と第２端末との少なくとも一方に対して、前記取得処理で取得した前記第１情報に基づく第２情報を出力する処理である。前記第１端末は、前記第１施設に設けられる。前記第２端末は、前記集合施設における前記第１施設とは異なる第２施設に設けられる。
【０００９】
本開示の一態様に係る制御用プログラムは、上述のインターホンシステムの制御方法をコンピュータシステムに実行させるためのプログラムである。
【発明の効果】
【００１０】
本開示によれば、収納装置の個数が増えた場合でも制御装置の処理負担が大きくなりにくい、という効果がある。
【図面の簡単な説明】
【００１１】
【図１】図１は、一実施形態に係るインターホンシステムのブロック図である。
【図２】図２は、同上のインターホンシステムの動作を説明するシーケンス図である。
【図３】図３は、同上のインターホンシステムの別の動作を説明するシーケンス図である。
【図４】図４は、一実施形態の変形例１に係るインターホンシステムを構成する第２端末のブロック図である。
【図５】図５は、一実施形態の変形例２に係るインターホンシステムを構成する第１端末のブロック図である。
【発明を実施するための形態】
【００１２】
以下に説明する実施形態及び変形例は、本開示の一例に過ぎない。本開示は、実施形態及び変形例に限定されることなく、この実施形態及び変形例以外であっても、本開示に係る技術的思想を逸脱しない範囲であれば、設計等に応じて種々の変更が可能である。
【００１３】
（実施形態）
（１）概要
以下、本実施形態に係るインターホンシステム１０の概要について、図１を参照して説明する。
【００１４】
本実施形態に係るインターホンシステム１０は、例えば、マンション等の集合住宅に適用される集合住宅用のインターホンシステムである。つまり、本実施形態では、集合施設１００は集合住宅である。本実施形態に係るインターホンシステム１０は、図１に示すように、複数（図示例では２つ）の第１端末１と、第２端末２と、ロビーインターホン３と、複数（図示例では２つ）のドアホン子機４と、制御装置５と、を備えている。複数の第１端末１と複数のドアホン子機４とは一対一に対応している。
【００１５】
第１端末１は、例えば、集合施設１００に含まれる第１施設１０１に設けられたインターホン親機（以下、「インターホン親機１」ともいう）である。本実施形態では、第１施設１０１は集合住宅の各住戸である。詳細には、第１端末１は、各住戸の内玄関に設置されている。第１端末１は、第２幹線７２、分岐線７３、及び分岐器６を介して制御装置５に接続されており、制御装置５を介して第２端末２及びロビーインターホン３との間で通信（例えば、通話、及び制御信号の送信等）を行うように構成されている。また、第１端末１は、接続線７４を介してドアホン子機４に接続されており、ドアホン子機４との間で通信（例えば、通話、及び制御信号の送信等）を行うように構成されている。
【００１６】
第２端末２は、例えば、集合施設１００に含まれる第２施設１０２に設けられた管理室親機（以下、「管理室親機２」ともいう）である。本実施形態では、第２施設１０２は集合住宅の管理室である。言い換えると、第２施設１０２は、集合施設１００における第１施設１０１とは異なる施設である。第２端末２は、第１幹線７１を介してロビーインターホン３に接続されており、ロビーインターホン３との間で通信（例えば、通話、制御信号の送信等）を行うように構成されている。また、第２端末２は、第１幹線７１を介して制御装置５に接続されており、制御装置５を介して第１端末１との間で通信（例えば、通話、及び制御信号の送信等）を行うように構成されている。
【００１７】
ロビーインターホン３は、例えば、集合住宅の共用玄関（ロビー）に設けられている。ロビーインターホン３は、第１幹線７１を介して第２端末２に接続されており、第２端末２との間で通信（例えば、通話、及び映像信号の送信等）を行うように構成されている。また、ロビーインターホン３は、第１幹線７１を介して制御装置５に接続されており、制御装置５を介して第１端末１との間で通信（例えば、通話、及び映像信号の送信等）を行うように構成されている。また、ロビーインターホン３は、本実施形態では、取得部３９（後述する）を備えている。そして、ロビーインターホン３は、第１端末１及び第２端末２との通信において、取得部３９が取得した第１情報（後述する）に基づく第２情報（後述する）を送信（出力）するように構成されている。
【００１８】
ドアホン子機４は、例えば、集合住宅の各住戸の外玄関に設けられている。ドアホン子機４は、接続線７４を介して第１端末１に接続されており、第１端末１との間で通信（例えば、通話、映像信号の送信等）を行うように構成されている。
【００１９】
制御装置５は、例えば、集合施設１００に含まれる第２施設１０２に設けられている。つまり、本実施形態では、制御装置５は、集合住宅の管理室に設けられている。制御装置５は、第１幹線７１を介して第２端末２及びロビーインターホン３に接続されており、第２幹線７２を介して第１端末１に接続されている。つまり、制御装置５は、第２端末２及びロビーインターホン３と第１端末１との通信を中継するように構成されている。
【００２０】
なお、第１幹線７１、第２幹線７２、分岐線７３、及び接続線７４は、いずれもツイストペア線である。つまり、実際には、第１幹線７１、第２幹線７２、分岐線７３、及び接続線７４は２本の電線で構成されるが、図面上は１本の線で表している。
【００２１】
本実施形態に係るインターホンシステム１０は、図１に示すように、取得部３９と、出力部３１と、を備えている。取得部３９は、集合施設１００に含まれる１以上の第１施設１０１に対応付けられた収納装置９に関する第１情報を取得する。出力部３１は、第１端末１と第２端末２との少なくとも一方に対して、取得部３９が取得した第１情報に基づく第２情報を出力する。第１端末１は、第１施設１０１に設けられている。第２端末２は、集合施設１００における第１施設１０１とは異なる第２施設１０２に設けられている。
【００２２】
本開示でいう「第１情報」とは、１以上の第１施設１０１に対応付けられた収納装置９に関する情報であって、例えば、収納装置９に設けられた扉の開閉を示す情報、収納装置９に設けられた扉の施解錠を示す情報、又は収納装置９に収納物が収納されているか否かを示す情報等である。本実施形態では、第１情報は、収納装置９に設けられたリードスイッチによるオン信号又はオフ信号である。例えば、収納装置９の扉が閉じている、又は扉が施錠されている場合にはオン信号が第１情報であり、収納装置９の扉が開いている、又は扉が解錠されている場合にはオフ信号が第１情報である。なお、リードスイッチのオン信号とオフ信号とが逆であってもよい。つまり、収納装置９の扉が閉じている、又は扉が施錠されている場合にオフ信号が第１情報であり、収納装置９の扉が開いている、又は扉が解錠されている場合にオン信号が第１情報であってもよい。また、本開示でいう「第２情報」とは、取得部３９が取得した第１情報に基づく情報であって、例えば、収納装置９内の収納物の有無に関する収納情報である。言い換えると、第２情報は、収納装置９内の収納物の有無に関する収納情報を含む。例えば、収納装置９内に収納物が収納されている場合には「収納物有り」との情報が第２情報であり、収納装置９内に収納物が収納されていない場合には「収納物無し」との情報が第２情報である。
【００２３】
本実施形態に係るインターホンシステム１０では、上述のように、収納装置９に関する第１情報を取得部３９が取得するように構成されている。このため、収納装置９の個数が増えた場合でも取得部３９の処理負担が大きくなるだけで制御装置５の処理負担は大きくならない。つまり、本実施形態に係るインターホンシステム１０によれば、収納装置９の個数が増えた場合でも制御装置５の処理負担が大きくなりにくいという利点がある。
【００２４】
（２）詳細
以下、本実施形態に係るインターホンシステム１０の詳細について、図１を参照して説明する。本実施形態に係るインターホンシステム１０は、図１に示すように、複数のインターホン親機（第１端末）１と、管理室親機（第２端末）２と、ロビーインターホン３と、複数のドアホン子機４と、制御装置５と、を備えている。さらに、本実施形態に係るインターホンシステム１０は、入力装置８と、複数（図示例では２つ）の収納装置９と、を備えている。複数の収納装置９の各々は、例えば、集合住宅の各住戸の外玄関に設けられている。つまり、本実施形態では、複数の第１施設１０１と複数の収納装置９とが一対一に対応している。言い換えると、複数の収納装置９が集合施設１００における異なる場所に設置されている。本実施形態では、収納装置９が、配達物を保管（収納）するための宅配ボックスである場合を想定する。
【００２５】
（２．１）インターホン親機
インターホン親機１は、図１に示すように、第１通信部１１と、第２通信部１８と、第１制御部１２と、映像処理部１３と、表示部１４と、通話部１５と、第１操作部１６と、記憶部１７と、を備えている。
【００２６】
第１通信部１１は、管理室親機２、及びロビーインターホン３と通信するための通信インターフェースである。第１通信部１１は、管理室親機２、及びロビーインターホン３との間で、例えばＥｔｈｅｒｎｅｔ（登録商標）に準拠した通信を行うように構成されている。第１通信部１１は、第２幹線７２、分岐線７３、及び分岐器６を介して制御装置５に接続されている。第１通信部１１は、制御装置５を介して、管理室親機２、及びロビーインターホン３に音声信号、及び制御信号等を送信する。第１通信部１１は、制御装置５を介して、管理室親機２から音声信号、及び制御信号等を受信し、ロビーインターホン３から音声信号、及び映像信号等を受信する。
【００２７】
第２通信部１８は、ドアホン子機４と通信するための通信インターフェースである。第２通信部１８は、接続線７４を介してドアホン子機４に接続されている。第２通信部１８は、ドアホン子機４に音声信号、及び制御信号等を送信し、ドアホン子機４から音声信号、及び映像信号等を受信する。
【００２８】
第１制御部１２は、例えば、プロセッサ及びメモリを有するマイクロコンピュータで構成されている。つまり、第１制御部１２は、プロセッサ及びメモリを有するコンピュータシステムで実現されている。そして、プロセッサが適宜のプログラムを実行することにより、コンピュータシステムが第１制御部１２として機能する。プログラムは、メモリに予め記録されていてもよいし、インターネット等の電気通信回線を通じて、又はメモリカード等の非一時的な記録媒体に記録されて提供されてもよい。第１制御部１２は、第１通信部１１、映像処理部１３、及び通話部１５等を制御するように構成されている。
【００２９】
映像処理部１３は、ロビーインターホン３、及びドアホン子機４からの映像信号を受けて、信号処理により映像信号に含まれる映像を処理するように構成されている。映像処理部１３は、例えば、ＤＳＰ（Digital Signal Processor）又はＦＰＧＡ（Field-Programmable Gate Array）等のデバイスにて実現される。
【００３０】
表示部１４は、映像処理部１３からの映像を表示するように構成されている。表示部１４は、例えば液晶ディスプレイである。インターホン親機１がタッチパネルディスプレイを備えている場合には、タッチパネルディスプレイが表示部１４と第１操作部１６とを兼ねてもよい。
【００３１】
通話部１５は、スピーカ及びマイクロホンを含み、管理室親機２、ロビーインターホン３、及びドアホン子機４との間で通話可能に構成されている。
【００３２】
第１操作部１６は、ユーザ（例えば、各住戸の住人等）の操作を受け付けるように構成されている。第１通信部１１が住人を呼び出すための呼出信号を受信している状態で、第１操作部１６に対して所定の操作（例えば押し操作）が行われると、管理室親機２、ロビーインターホン３、又はドアホン子機４とインターホン親機１との間で音声通話が可能になる。また、本実施形態では、第１操作部１６は、収納物情報を入力可能に構成されている。言い換えると、収納物情報は、第１端末１に設けられた端末側操作部（第１操作部１６）にて入力された入力情報を含む。本開示でいう「収納物情報」とは、収納装置９に収納される収納物に関する情報であって、例えば、収納物の種類（内容物）、大きさ、重量、収納物の送り主等の情報、及び収納物が受取用か集荷用かを示す情報等を含む。ここで、後述する出力部（第３通信部）３１から出力される第２情報には、収納装置９に収納物が収納されているか否かを示す第１情報だけでなく、収納物に関する収納物情報が含まれていることが好ましい。つまり、第２情報は、収納装置９に収納される収納物に関する収納情報を含んでいることが好ましい。
【００３３】
ここで、いずれかの住戸の住人が、集荷用の荷物を収納装置９に収納する場合を想定する。この場合、住人は、集荷用の荷物を収納装置９に収納した後、第１操作部１６にて収納物情報を入力する。第１操作部１６にて入力された収納物情報は、第１通信部１１を介してロビーインターホン３に送信される。
【００３４】
記憶部１７は、読み書き可能なメモリで構成されている。記憶部１７は、例えばフラッシュメモリである。記憶部１７は、ロビーインターホン３、及びドアホン子機４からの映像データを記憶する。また、記憶部１７は、インターホン親機１に割り当てられたアドレス情報を記憶する。なお、インターホン親機１に対応付けられた収納装置９の第２情報がロビーインターホン３から送信される場合には、記憶部１７は第２情報を記憶してもよい。
【００３５】
（２．２）管理室親機
管理室親機２は、図１に示すように、第２通信部２１と、第２制御部２２と、映像処理部２３と、表示部２４と、通話部２５と、第２操作部２６と、記憶部２７と、を備えている。
【００３６】
第２通信部２１は、インターホン親機１、及びロビーインターホン３と通信するための通信インターフェースである。第２通信部２１は、インターホン親機１、及びロビーインターホン３との間で、例えばＥｔｈｅｒｎｅｔ（登録商標）に準拠した通信を行うように構成されている。第２通信部２１は、第１幹線７１を介してロビーインターホン３、及び制御装置５に接続されている。第２通信部２１は、制御装置５を介して、インターホン親機１に音声信号、及び制御信号等を送信し、インターホン親機１から音声信号、及び制御信号等を受信する。第２通信部２１は、ロビーインターホン３に音声信号、及び制御信号等を送信し、ロビーインターホン３から音声信号、及び映像信号等を受信する。
【００３７】
第２制御部２２は、例えば、プロセッサ及びメモリを有するマイクロコンピュータで構成されている。つまり、第２制御部２２は、プロセッサ及びメモリを有するコンピュータシステムで実現されている。そして、プロセッサが適宜のプログラムを実行することにより、コンピュータシステムが第２制御部２２として機能する。プログラムは、メモリに予め記録されていてもよいし、インターネット等の電気通信回線を通じて、又はメモリカード等の非一時的な記録媒体に記録されて提供されてもよい。第２制御部２２は、第２通信部２１、映像処理部２３、及び通話部２５等を制御するように構成されている。
【００３８】
映像処理部２３は、ロビーインターホン３からの映像信号を受けて、信号処理により映像信号に含まれる映像を処理するように構成されている。映像処理部２３は、例えば、ＤＳＰ又はＦＰＧＡ等のデバイスにて実現される。
【００３９】
表示部２４は、映像処理部２３からの映像を表示するように構成されている。表示部２４は、例えば液晶ディスプレイである。管理室親機２がタッチパネルディスプレイを備えている場合には、タッチパネルディスプレイが表示部２４と第２操作部２６とを兼ねてもよい。また、表示部２４は、ロビーインターホン３から送信される第２情報を表示してもよい。
【００４０】
通話部２５は、スピーカ及びマイクロホンを含み、インターホン親機１、及びロビーインターホン３との間で通話可能に構成されている。
【００４１】
第２操作部２６は、ユーザ（例えば、集合住宅の管理人等）の操作を受け付けるように構成されている。第２通信部２１が管理人を呼び出すための呼出信号を受信している状態で、第２操作部２６に対して所定の操作（例えば押し操作）が行われると、インターホン親機１、又はロビーインターホン３と管理室親機２との間で音声通話が可能になる。
【００４２】
記憶部２７は、読み書き可能なメモリで構成されている。記憶部２７は、例えばフラッシュメモリである。記憶部２７は、ロビーインターホン３からの映像データを記憶する。また、記憶部２７は、管理室親機２に割り当てられたアドレス情報を記憶する。さらに、本実施形態では、記憶部２７は、複数のインターホン親機１に一対一に対応付けられた複数の収納装置９の第２情報を、複数のインターホン親機１のアドレス情報に対応付けて記憶する。
【００４３】
（２．３）ロビーインターホン
ロビーインターホン３は、図１に示すように、第３通信部３１と、第３制御部３２と、映像処理部３３と、表示部３４と、通話部３５と、第３操作部３６と、記憶部３７と、撮像部３８と、取得部３９と、を備えている。
【００４４】
第３通信部３１は、インターホン親機１、及び管理室親機２と通信するための通信インターフェースである。第３通信部３１は、インターホン親機１、及び管理室親機２との間で、例えばＥｔｈｅｒｎｅｔ（登録商標）に準拠した通信を行うように構成されている。第３通信部３１は、第１幹線７１を介して管理室親機２、及び制御装置５に接続されている。第３通信部３１は、制御装置５を介して、インターホン親機１に音声信号、及び映像信号等を送信し、インターホン親機１から音声信号、及び制御信号等を受信する。また、第３通信部３１は、管理室親機２に音声信号、及び映像信号等を送信し、管理室親機２から音声信号、及び制御信号等を受信する。また、本実施形態では、第３通信部３１は、インターホン親機１、及び管理室親機２に対して第２情報を送信する。つまり、本実施形態では、第３通信部３１が出力部（以下、「出力部３１」ともいう）である。
【００４５】
第３制御部３２は、例えば、プロセッサ及びメモリを有するマイクロコンピュータで構成されている。つまり、第３制御部３２は、プロセッサ及びメモリを有するコンピュータシステムで実現されている。そして、プロセッサが適宜のプログラムを実行することにより、コンピュータシステムが第３制御部３２として機能する。プログラムは、メモリに予め記録されていてもよいし、インターネット等の電気通信回線を通じて、又はメモリカード等の非一時的な記録媒体に記録されて提供されてもよい。第３制御部３２は、第３通信部３１、映像処理部３３、通話部３５、及び撮像部３８等を制御するように構成されている。また、第３制御部３２は、取得部３９が取得した第１情報に基づいて第２情報を作成するように構成されている。
【００４６】
映像処理部３３は、撮像部３８から出力される映像信号を受けて、信号処理により映像信号に含まれる映像を処理するように構成されている。映像処理部３３は、例えば、ＤＳＰ又はＦＰＧＡ等のデバイスにて実現される。
【００４７】
表示部３４は、映像処理部３３からの映像を表示するように構成されている。表示部３４は、例えば液晶ディスプレイである。ロビーインターホン３がタッチパネルディスプレイを備えている場合には、タッチパネルディスプレイが表示部３４と第３操作部３６とを兼ねてもよい。
【００４８】
通話部３５は、スピーカ及びマイクロホンを含み、インターホン親機１、及び管理室親機２との間で通話可能に構成されている。
【００４９】
第３操作部３６は、ユーザ（例えば、集合住宅への来訪者、住人等）の操作を受け付けるように構成されている。第３操作部３６は、例えば、複数の押ボタンスイッチ、及びタッチパネル等を有する入力インターフェースである。
【００５０】
記憶部３７は、読み書き可能なメモリで構成されている。記憶部３７は、例えばフラッシュメモリである。記憶部３７は、撮像部３８で撮像された映像の映像データを記憶する。また、記憶部３７は、ロビーインターホン３に割り当てられたアドレス情報を記憶する。さらに、本実施形態では、記憶部３７は、複数のインターホン親機１に一対一に対応付けられた複数の収納装置９の第２情報を、複数のインターホン親機１のアドレス情報に対応付けて記憶する。なお、記憶部３７は、第１情報についても合わせて記憶してもよい。
【００５１】
撮像部３８は、撮像素子を有し、被写体（例えば来訪者等）を撮像するためのカメラである。本実施形態では、来訪者がロビーインターホン３を操作する際に少なくとも来訪者の顔が撮像できるように、撮像部３８の撮像エリア（視野）がロビーインターホン３の前方に設定されている。本実施形態では、撮像部３８は動画を撮像するカメラである。さらに、本実施形態では、撮像部３８はカラー画像を撮像するカメラである。
【００５２】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部３８は、被写体からの光をレンズ等の光学系によって撮像素子の撮像面（受光面）上に結像させ、撮像素子にて被写体からの光を電気信号に変換する。そして、撮像部３８は、撮像素子の出力信号を映像信号として映像処理部３３へ出力する。
【００５３】
取得部３９は、収納装置９に関する第１情報を取得するように構成されている。本実施形態では、取得部３９は、入力装置８に接続されており、入力装置８を介して第１情報を取得するように構成されている。一方、入力装置８は、図１に示すように、複数の収納装置９に接続されており、複数の収納装置９からの第１情報は入力装置８に入力される。つまり、取得部３９は、収納装置９から第１情報が入力される入力装置８を介して第１情報を取得する。
【００５４】
（２．４）ドアホン子機
ドアホン子機４は、図１に示すように、接続線７４を介してインターホン親機１に接続されている。ドアホン子機４は、インターホン親機１との間で、例えばＥｔｈｅｒｎｅｔ（登録商標）に準拠した通信を行うように構成されている。ドアホン子機４は、インターホン親機１に音声信号、及び映像信号等を送信し、インターホン親機１から音声信号、及び制御信号等を受信する。
【００５５】
（２．５）制御装置
制御装置５は、図１に示すように、伝送部５１と、信号処理部５２と、を備えている。
【００５６】
伝送部５１は、インターホン親機１、管理室親機２、及びロビーインターホン３と通信するための通信インターフェースである。伝送部５１は、インターホン親機１、管理室親機２、及びロビーインターホン３との間で、例えばＥｔｈｅｒｎｅｔ（登録商標）に準拠した通信を行うように構成されている。伝送部５１は、第１幹線７１を介して管理室親機２及びロビーインターホン３に接続されている。また、伝送部５１は、第２幹線７２を介してインターホン親機１に接続されている。つまり、伝送部５１は、インターホン親機１と管理室親機２との間の通信、及びインターホン親機１とロビーインターホン３との間の通信を中継するように構成されている。ここで、管理室親機２からの通信信号、及びロビーインターホン３からの通信信号には、インターホン親機１を特定するための情報（ここではアドレス情報）が含まれている。このため、通信信号に含まれているアドレス情報と一致するアドレス情報が設定されたインターホン親機１のみが通信信号を受信することができる。
【００５７】
信号処理部５２は、例えば、プロセッサ及びメモリを有するマイクロコンピュータで構成されている。つまり、信号処理部５２は、プロセッサ及びメモリを有するコンピュータシステムで実現されている。そして、プロセッサが適宜のプログラムを実行することにより、コンピュータシステムが信号処理部５２として機能する。プログラムは、メモリに予め記録されていてもよいし、インターネット等の電気通信回線を通じて、又はメモリカード等の非一時的な記録媒体に記録されて提供されてもよい。信号処理部５２は、伝送部５１を制御するように構成されている。
【００５８】
（２．６）入力装置
入力装置８は、収納装置９からの第１情報をロビーインターホン３に入力するための専用の入力装置である。入力装置８には、図１に示すように、複数（図示例では２つ）の収納装置９が通信線を介して接続されている。図示例では、複数の収納装置９が１本の通信線にて入力装置８に接続されているが、実際には、複数の収納装置９は、各別に設けられた通信線にて入力装置８に接続されている。一方、入力装置８は、２本の通信線にてロビーインターホン３の取得部３９に接続されており、２本の通信線を介して複数の収納装置９の第１情報を取得部３９に出力するように構成されている。
【００５９】
なお、入力装置８と、ロビーインターホン３及び収納装置９の各々との間の接続は有線に限らず、無線であってもよい。さらに、ロビーインターホン３と入力装置８との間の接続が有線で、入力装置８と収納装置９との間の接続が無線であってもよいし、その逆であってもよい。
【００６０】
（３）動作
以下、本実施形態に係るインターホンシステム１０の動作について、図２及び図３を参照して説明する。
【００６１】
（３．１）着荷の場合
まず、配達業者が荷物を収納装置９に入れる場合（着荷）の動作について、図２を参照して説明する。
【００６２】
配達業者は、訪問先のインターホン親機１に対応付けられた収納装置９の扉を開けて荷物（配達物）を入れた後、扉を閉める。このとき、収納装置９に設けられたリードスイッチがオンになり、リードスイッチからのオン信号が第１情報として入力装置８に入力される（ステップＳ１０１）。入力装置８は、収納装置９から第１情報を受け取ると、ロビーインターホン３に対して第１情報を出力する（ステップＳ１０２）。ロビーインターホン３では、取得部３９が入力装置８から第１情報を取得し、取得した第１情報を第３制御部３２へ出力する（ステップＳ１０３）。
【００６３】
第３制御部３２は、取得部３９から第１情報を受け取ると、第１情報に基づいて第２情報を作成する（ステップＳ１０４）。ここでは、第２情報は収納物有りとの情報である。第３制御部３２は、作成した第２情報を第３通信部（出力部）３１から管理室親機２に送信（出力）させる（ステップＳ１０５）。また、第３制御部３２は、作成した第２情報を、インターホン親機１のアドレス情報に対応付けて記憶部３７に記憶させる（ステップＳ１０６）。なお、上述の動作においてステップＳ１０５とステップＳ１０６との順番が逆であってもよく、ステップＳ１０６が行われた後にステップＳ１０５が行われてもよい。
【００６４】
管理室親機２では、第２制御部２２は、第２通信部２１を介して受信した第２情報を表示部２４に表示させる（ステップＳ１０７）。例えば、第２制御部２２は、「○○号室への荷物が届いています」等の表示を表示部２４に表示させる。このとき、第２制御部２２は、音声による通知を通話部２５のスピーカに行わせてもよい。また、第２制御部２２は、インターホン親機１のアドレス情報に対応付けて第２情報を記憶部２７に記憶させる（ステップＳ１０８）。なお、上述の動作においてステップＳ１０７とステップＳ１０８との順番が逆であってもよく、ステップＳ１０８が行われた後にステップＳ１０７が行われてもよい。
【００６５】
この場合において、第３制御部３２は、作成した第２情報を第３通信部３１からインターホン親機１に送信させてもよい。このとき、インターホン親機１では、第１通信部１１を介して受信した第２情報を表示部１４に表示させ、かつ記憶部１７に記憶させるのが好ましい。
【００６６】
（３．２）集荷の場合
次に、いずれかの住戸の住人が荷物を収納装置９に入れる場合（集荷）の動作について、図３を参照して説明する。
【００６７】
住人は、収納装置９の扉を開けて荷物を入れた後、扉を閉める。このとき、収納装置９に設けられたリードスイッチがオンになり、リードスイッチからのオン信号が第１情報として入力装置８に入力される（ステップＳ２０１）。入力装置８は、収納装置９から第１情報を受け取ると、ロビーインターホン３に対して第１情報を出力する（ステップＳ２０２）。ロビーインターホン３では、取得部３９が入力装置８から第１情報を取得し、取得した第１情報を第３制御部３２へ出力する（ステップＳ２０３）。また、住人は、インターホン親機１の第１操作部１６を用いて収納物情報を入力する（ステップＳ２０４）。インターホン親機１では、第１制御部１２は、入力された収納物情報を第１通信部１１からロビーインターホン３に送信させる（ステップＳ２０５）。この場合、集荷物の送料については着払いが一般的であり、着払いの料金等を表示部１４に表示させてもよい。
【００６８】
第３制御部３２は、取得部３９から第１情報を受け取り、かつインターホン親機１から収納物情報を受け取ると、第１情報及び収納物情報に基づいて第２情報を作成する（ステップＳ２０６）。ここでは、第２情報は、収納物有りとの情報と、収納物の種類、大きさ、重量、送り主等の情報とを含む。第３制御部３２は、作成した第２情報を第３通信部（出力部）３１から管理室親機２に送信（出力）させる（ステップＳ２０７）。また、第３制御部３２は、第１情報、及び収納物情報に基づいて作成した第２情報を、インターホン親機１のアドレス情報に対応付けて記憶部３７に記憶させる（ステップＳ２０８）。なお、上述の動作においてステップＳ２０７とステップＳ２０８との順番が逆であってもよく、ステップＳ２０８が行われた後にステップＳ２０７が行われてもよい。
【００６９】
管理室親機２では、第２制御部２２は、第２通信部２１を介して受信した第２情報を表示部２４に表示させる（ステップＳ２０９）。例えば、第２制御部２２は、「○○号室の集荷を受け付けました」等の表示を表示部２４に表示させる。このとき、第２制御部２２は、収納物情報についても表示部２４に表示させてもよい。また、第２制御部２２は、インターホン親機１のアドレス情報に対応付けて第２情報を記憶部２７に記憶させる（ステップＳ２１０）。なお、上述の動作においてステップＳ２０９とステップＳ２１０との順番が逆であってもよく、ステップＳ２１０が行われた後にステップＳ２０９が行われてもよい。
【００７０】
本実施形態に係るインターホンシステム１０では、上述のように、ロビーインターホン３に設けられた取得部３９が収納装置９に関する第１情報を取得するように構成されている。このため、収納装置９の個数が増えた場合でも取得部３９の処理負担が大きくなるだけで制御装置５の処理負担は大きくならない。つまり、本実施形態に係るインターホンシステム１０によれば、収納装置９の個数が増えた場合でも制御装置５の処理負担が大きくなりにくいという利点がある。
【００７１】
ところで、本実施形態に係るインターホンシステム１０において、図１に示すように、他の収納装置９Ａが集合施設１００内に設けられていてもよい。そして、ロビーインターホン３の取得部３９が、他の収納装置９Ａに関する第３情報を更に取得するように構成されていてもよい。図１に示す例では、複数（図示例では２つ）の他の収納装置９Ａが入力装置８に接続されている。複数の他の収納装置９Ａは、例えば、第１施設１０１に対応付けられていない収納装置であって、第２施設１０３に設置されている。第２施設１０３は、例えば、集合住宅の共用玄関である。本開示でいう「第３情報」とは、他の収納装置９Ａに関する情報であって、例えば、他の収納装置９Ａに収納物が収納されているか否かを示す情報である。この構成によれば、取得部３９は、第１施設１０１に対応付けられている収納装置９に関する第１情報と、第１施設１０１に対応づけられていない他の収納装置９Ａに関する第２情報との両方を取得することができる。
【００７２】
（４）変形例
上述の実施形態は、本開示の様々な実施形態の一つに過ぎない。上述の実施形態は、本開示の目的を達成できれば、設計等に応じて種々の変更が可能である。また、インターホンシステム１０と同様の機能は、インターホンシステム１０の通知方法、インターホンシステム１０の制御方法、コンピュータプログラム、又はコンピュータプログラムを記録した非一時的な記録媒体等で具現化されてもよい。
【００７３】
一態様に係るインターホンシステム１０の通知方法は、１以上の第１端末１と第２端末２とを備えたインターホンシステム１０の通知方法である。１以上の第１端末１は、集合施設１００に含まれる１以上の第１施設１０１に設けられている。第２端末２は、集合施設１００における第１施設１０１とは異なる第２施設１０２に設けられている。インターホンシステム１０の通知方法は、呼出処理と、第１通知処理と、受付処理と、第２通知処理と、を含む。呼出処理は、第２端末２が第１端末１を呼び出す処理である。第１通知処理は、第２端末２に呼び出されたことを第１端末１が通知する処理である。受付処理は、第１施設１０１に対応付けられた収納装置９が収納物を受け付ける処理である。第２通知処理は、収納装置９が収納物を受け付けたことを第１端末１が通知する処理である。このインターホンシステム１０の通知方法は、コンピュータシステムにて実現可能である。
【００７４】
一態様に係るインターホンシステム１０の制御方法は、取得処理と、出力処理と、を含む。取得処理は、集合施設１００に含まれる１以上の第１施設１０１に対応付けられた収納装置９に関する第１情報を取得する処理である。出力処理は、第１端末１と第２端末２との少なくとも一方に対して、取得処理で取得した第１情報に基づく第２情報を出力する処理である。第１端末１は、第１施設１０１に設けられている。第２端末２は、集合施設１００における第１施設１０１とは異なる第２施設１０２に設けられている。
【００７５】
一態様に係る制御用プログラムは、上述のインターホンシステム１０の制御方法をコンピュータシステムに実行させるためのプログラムである。
【００７６】
以下、上述の実施形態の変形例を列挙する。以下に説明する変形例は、適宜組み合わせて適用可能である。
【００７７】
本開示におけるインターホンシステム１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるインターホンシステム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７８】
第１端末（インターホン親機）１における複数の機能が、１つの筐体内に集約されていることは第１端末１に必須の構成ではなく、第１端末１の構成要素は、複数の筐体に分散して設けられていてもよい。また、第２端末（管理室親機）２における複数の機能が、１つの筐体内に集約されていることは第２端末２に必須の構成ではなく、第２端末２の構成要素は、複数の筐体に分散して設けられていてもよい。さらに、第１端末１の少なくとも一部の機能がクラウド（クラウドコンピューティング）等によって実現されてもよい。また、第２端末２の少なくとも一部の機能がクラウド（クラウドコンピューティング）等によって実現されてもよい。
【００７９】
反対に、複数の装置に分散されているインターホンシステム１０の少なくとも一部の機能が、１つの筐体内に集約されていてもよい。例えば、第１端末１と第２端末２とに分散されているインターホンシステム１０の一部の機能が、１つの筐体内に集約されていてもよい。
【００８０】
（４．１）変形例１
上述の実施形態では、管理室親機２が第２端末であったが、第２端末は、管理室親機２に限らず、ロビーインターホン３Ａであってもよい。以下、変形例１に係るインターホンシステムについて、図４を参照して説明する。なお、ロビーインターホン３Ａ以外の構成については上述の実施形態と同様であり、同一の構成要素には同一の符号を付して説明を省略する。
【００８１】
変形例１に係るインターホンシステムは、複数のインターホン親機１と、管理室親機２と、ロビーインターホン３Ａと、複数のドアホン子機４と、制御装置５と、を備えている。変形例１では、ロビーインターホン３Ａが第２端末（以下、「第２端末３Ａ」ともいう）である。したがって、変形例１では、ロビーインターホン３Ａが設けられた集合住宅の共用玄関（ロビー）が第２施設１０３である。
【００８２】
ロビーインターホン３Ａは、図４に示すように、第３通信部３１と、第３制御部３２と、映像処理部３３と、表示部３４と、通話部３５と、第３操作部（ロビー操作部）３６Ａと、記憶部３７と、撮像部３８と、取得部３９と、報知部４１と、を備えている。なお、第３操作部３６Ａ及び報知部４１以外の構成については上述の実施形態と同様であり、ここでは詳細な説明を省略する。
【００８３】
第３操作部３６Ａは、ユーザ（例えば、集合住宅への来訪者、住人等）の操作を受け付けるように構成されている。第３操作部３６Ａは、例えば、複数の押ボタンスイッチ、及びタッチパネル等を有する入力インターフェースである。第３操作部３６Ａは、第１端末１を特定する端末情報の入力を受け付けるように構成されている。本開示でいう「端末情報」とは、第１端末１を特定するための情報であって、変形例１のように、第１端末１が集合住宅の各住戸である場合には各住戸の部屋番号等である。
【００８４】
報知部４１は、スピーカを含み、第３操作部３６Ａが端末情報の入力を受け付けた場合に第２情報を報知する。なお、上述のスピーカは通話部３５のスピーカと同じであってもよいし、異なっていてもよい。
【００８５】
次に、変形例１に係るインターホンシステムの報知動作について説明する。以下では、収納装置９に荷物が入れられており、住人の帰宅時に荷物があることを報知する場合を想定する。
【００８６】
帰宅した住人が、共用玄関に設けられている自動ドア等を解錠するために、第３操作部３６Ａに対して解錠操作を行う。具体的には、住人が、第３操作部３６Ａにて住戸の部屋番号を入力した後、解錠ボタンを操作することで自動ドア等が解錠される。つまり、このとき、第３操作部３６Ａが、第１端末（インターホン親機）１を特定する端末情報である部屋番号を受け付けている。報知部４１は、第３操作部３６Ａが端末情報を受け付けていることから、第２情報を報知する。具体的には、報知部４１は、「荷物が届いています」等の音声メッセージにて報知する。
【００８７】
変形例１に係るインターホンシステムによれば、第３操作部３６Ａに対して操作を行った住人等への荷物がある場合に、報知部４１にて報知することができる。これにより、住人等は、共用玄関にいる時点で荷物があることを知ることができる。
【００８８】
（４．２）変形例２
上述の実施形態では、取得部３９が入力装置８を介して第１情報を取得したが、取得部は、第１端末１Ｂを介して第１情報を取得してもよい。以下、変形例２に係るインターホンシステムについて、図５を参照して説明する。なお、第１端末１Ｂ以外の構成については上述の実施形態と同様であり、同一の構成要素には同一の符号を付して説明を省略する。
【００８９】
変形例２に係るインターホンシステムは、複数のインターホン親機（第１端末）１Ｂと、管理室親機２と、ロビーインターホン３と、複数のドアホン子機４と、制御装置５と、を備えている。
【００９０】
インターホン親機１Ｂは、図５に示すように、第１通信部１１と、第２通信部１８と、第１制御部１２と、映像処理部１３と、表示部１４と、通話部１５と、第１操作部１６と、記憶部１７と、入力部１９と、を備えている。なお、入力部１９以外の構成については上述の実施形態と同様であり、ここでは詳細な説明を省略する。
【００９１】
入力部１９は、図５に示すように、収納装置９に接続されており、収納装置９から第１情報が入力されるように構成されている。入力部１９は、収納装置９から入力された第１情報を第１制御部１２に出力する。なお、インターホン親機１Ｂ（入力部１８）と収納装置９との間の接続は有線であってもよいし、無線であってもよい。
【００９２】
次に、変形例２に係るインターホンシステムの動作について説明する。
【００９３】
収納装置９に荷物が入れられると、収納装置９からの第１情報が入力部１９に入力される。入力部１９は、入力された第１情報を第１制御部１２に出力する。第１制御部１２は、入力部１９から受け取った第１情報を第１通信部１１からロビーインターホン３に送信させる。ロビーインターホン３では、第３通信部３１がインターホン親機１Ｂからの第１情報を受信し、受信した第１情報を第３制御部３２に出力する。つまり、変形例２では、第１端末１Ｂが入力装置である。この場合、上述の実施形態で説明した取得部３９が不要である。
【００９４】
変形例２に係るインターホンシステムによれば、第１端末１Ｂを介して第１情報を取得することができる。
【００９５】
なお、インターホン親機１Ｂは、管理室親機２、ドアホン子機４等に第１情報を送信してもよい。また、インターホン親機１Ｂが、住人が所有するスマートフォン等と通信可能であれば、スマートフォン等に第１情報を送信してもよい。
【００９６】
（４．３）変形例３
上述の実施形態では、第２情報が収納装置９内の収納物の有無に関する収納情報、及び収納装置９に収納される収納物に関する収納物情報等を含んでいたが、第２情報は、例えば、収納装置９の種類に関する種類情報を含んでいてもよい。本開示でいう「種類情報」とは、収納装置９の種類に関する情報であって、例えば、宅配ボックス、バトラーボックス等の種別である。
【００９７】
ここで、収納装置９がバトラーボックスである場合を想定する。例えば、住人がクリーニング用の衣類等を収納装置９に入れた後、インターホン親機１の第１操作部１６にて収納物情報を入力すると、上述の「（３．２）集荷の場合」と同様の処理にて収納装置９内に収納物があることを管理室親機２の表示部２４に表示される。管理人（又はコンシェルジュ）は、表示部２４の表示内容を見て、該当する収納装置９に収納されている収納物を取りに行く。
【００９８】
変形例３によれば、インターホン親機（第１端末）１と管理室親機（第２端末）２との少なくとも一方に対して種類情報を出力することができる。
【００９９】
（４．４）その他の変形例
上述の実施形態では、施設１００が集合住宅であったが、施設１００は、集合住宅に限らず、例えば、複数の店舗等を含む商業施設であってもよいし、戸建て住宅であってもよい。施設１００が商業施設である場合、第１施設１０１は商業施設に含まれる各店舗である。
【０１００】
上述の実施形態では、複数の収納装置９の各々が集合住宅の各住戸の外玄関に設置されているが、複数の収納装置９は、例えば、共用スペース等にまとめて設置されていてもよい。また、収納装置９が第１施設１０１に対応付けられていれば、複数の収納装置９が共用玄関等に設置されていてもよい。この場合、複数の収納装置９は、共用玄関等においてまとめて設置されていてもよいし、異なる場所に設置されていてもよい。
【０１０１】
上述の実施形態では、リードスイッチにて収納装置９の開閉状態を検知したが、例えば、重量センサ、超音波センサ等のセンサ装置によって収納物の有無を直接検知してもよい。この場合、入力装置８はセンサ装置に接続され、センサ装置の検知結果が入力装置８を介してロビーインターホン３に入力されることになる。なお、入力装置８と、ロビーインターホン３及びセンサ装置の各々との間の接続は有線であってもよいし、無線であってもよい。さらに、ロビーインターホン３と入力装置８との間の接続が有線で、入力装置８とセンサ装置との間の接続が無線であってもよいし、その逆であってもよい。
【０１０２】
上述の実施形態では、出力部（第３通信部）３１が第１端末１と第２端末２との両方に第２情報を出力したが、出力部３１は、第１端末１と第２端末２との少なくとも一方に第２情報を出力するように構成されていればよい。
【０１０３】
上述の実施形態では、第１通信部１１が管理室親機２及びロビーインターホン３と通信し、第２通信部１８がドアホン子機４と通信しているが、１つの通信部が管理室親機２、ロビーインターホン３、及びドアホン子機４と通信するように構成されていてもよい。例えば、第１通信部１１が管理室親機２、ロビーインターホン３、及びドアホン子機４と通信するように構成されていてもよい。この場合、第２通信部１８を省略することができる。
【０１０４】
上述の実施形態では、収納装置９に設けられた扉の開閉を示す情報、又は収納装置９に設けられた扉の施解錠の情報が第１情報であるが、第１情報は、収納装置９に収納物が収納されているか否かを示す情報であってもよい。この場合、収納装置９は、例えば、扉の開閉を示す情報の変化、又は扉の施解錠を示す情報の変化に基づいて、収納装置９に収納物が収納されているか否かを推定するように構成されていることが好ましい。
【０１０５】
上述の実施形態では、入力装置８がロビーインターホン３と別体であるが、入力装置８は、ロビーインターホン３と一体であってもよい。
【０１０６】
（まとめ）
以上説明したように、第１の態様に係るインターホンシステム（１０）は、取得部（３９）と、出力部（３１）と、を備える。取得部（３９）は、集合施設（１００）に含まれる１以上の第１施設（１０１）に対応付けられた収納装置（９）に関する第１情報を取得する。出力部（３１）は、第１端末（１）と第２端末（２）との少なくとも一方に対して、取得部（３９）が取得した第１情報に基づく第２情報を出力する。第１端末（１）は、第１施設（１０１）に設けられている。第２端末（２）は、集合施設（１００）における第１施設（１０１）とは異なる第２施設（１０２）に設けられている。
【０１０７】
この態様によれば、収納装置（９）に関する第１情報を取得部（３９）が取得するので、収納装置（９）の個数が増えた場合でも制御装置（５）の処理負担が大きくなりにくいという利点がある。
【０１０８】
第２の態様に係るインターホンシステム（１０）では、第１の態様において、複数の収納装置（９）が集合施設（１００）における異なる場所に設置されている。
【０１０９】
この態様によれば、集合施設（１００）における異なる場所に設置されている複数の収納装置（９）の第１情報を取得部（３９）にて取得することができる。
【０１１０】
第３の態様に係るインターホンシステム（１０）では、第１又は２の態様において、取得部（３９）は、収納装置（９）から第１情報が入力される入力装置（８）を介して第１情報を取得する。
【０１１１】
この態様によれば、第１端末（１）が入力装置である場合と比較して第１端末（１）の処理負担を少なくすることができる。
【０１１２】
第４の態様に係るインターホンシステム（１０）では、第３の態様において、入力装置は、第１端末（１Ｂ）である。
【０１１３】
この態様によれば、第１端末（１Ｂ）を介して第１情報を取得することができる。
【０１１４】
第５の態様に係るインターホンシステム（１０）では、第１〜４のいずれかの態様において、第２情報は、収納装置（９）内の収納物の有無に関する収納情報を含む。
【０１１５】
この態様によれば、第１端末（１）と第２端末（２）との少なくとも一方に対して収納情報を出力することができる。
【０１１６】
第６の態様に係るインターホンシステム（１０）では、第１〜５のいずれかの態様において、第２情報は、収納装置（９）に収納される収納物に関する収納物情報を含む。
【０１１７】
この態様によれば、第１端末（１）と第２端末（２）との少なくとも一方に対して収納物情報を出力することができる。
【０１１８】
第７の態様に係るインターホンシステム（１０）では、第６の態様において、収納物情報は、第１端末（１）に設けられた端末側操作部（例えば、第１操作部１６）にて入力された入力情報を含む。
【０１１９】
この態様によれば、第１端末（１）と第２端末（２）との少なくとも一方に対して、端末側操作部にて入力された収納物情報を出力することができる。
【０１２０】
第８の態様に係るインターホンシステム（１０）では、第１〜７のいずれかの態様において、第２情報は、収納装置（９）の種類に関する種類情報を含む。
【０１２１】
この態様によれば、第１端末（１）と第２端末（２）との少なくとも一方に対して種類情報を出力することができる。
【０１２２】
第９の態様に係るインターホンシステム（１０）では、第１〜８のいずれかの態様において、取得部（３９）は、第２施設（１０３）に設置されて第１施設（１０１）に対応付けられていない他の収納装置（９Ａ）に関する第３情報を更に取得する。
【０１２３】
この態様によれば、第１情報と第３情報との両方を取得することができる。
【０１２４】
第１０の態様に係るインターホンシステム（１０）では、第１〜９のいずれかの態様において、第２施設（１０３）は集合施設（１００）における共用玄関である。第２端末（例えば、ロビーインターホン３）は、共用玄関に設置されるロビーインターホン（３）を含む。ロビーインターホン（３）は、ロビー操作部（３６Ａ）と、報知部（４１）と、を有する。ロビー操作部（３６Ａ）は、第１端末（１）を特定する端末情報の入力を受け付ける。報知部（４１）は、ロビー操作部（３６Ａ）が端末情報の入力を受け付けた場合に第２情報を報知する。
【０１２５】
この態様によれば、報知部（４１）に第２情報を報知させることによって、収納装置（９）内に荷物が収納されていることをユーザ（例えば、住戸の住人等）に知らせることができる。
【０１２６】
第１１の態様に係るインターホンシステム（１０）の通知方法は、第１端末（１）と第２端末（２）とを備えたインターホンシステム（１０）の通知方法である。第１端末（１）は、集合施設（１００）に含まれる第１施設（１０１）に設けられている。第２端末（２）は、集合施設（１００）における第１施設（１０１）とは異なる第２施設（１０２）に設けられている。インターホンシステム（１０）の通知方法は、呼出処理と、第１通知処理と、受付処理と、第２通知処理と、を含む。呼出処理は、第２端末（２）が第１端末（１）を呼び出す処理である。第１通知処理は、第２端末（２）に呼び出されたことを第１端末（１）が通知する処理である。受付処理は、第１施設（１）に対応付けられた収納装置（９）が収納物を受け付ける処理である。第２通知処理は、収納装置（９）が収納物を受け付けたことを第１端末（１）が通知する処理である。
【０１２７】
この態様によれば、収納装置（９）に荷物が収納されていることを第１端末（１）にて通知することができる。
【０１２８】
第１２の態様に係るインターホンシステム（１０）の制御方法は、取得処理と、出力処理と、を含む。取得処理は、集合施設（１００）に含まれる１以上の第１施設（１０１）に対応付けられた収納装置（９）に関する第１情報を取得する処理である。出力処理は、第１端末（１）と第２端末（２）との少なくとも一方に対して、取得処理で取得した第１情報に基づく第２情報を出力する処理である。第１端末（１）は、第１施設（１０１）に設けられている。第２端末（２）は、集合施設（１００）における第１施設（１０１）とは異なる第２施設（１０２）に設けられている。
【０１２９】
この態様によれば、収納装置（９）の個数が増えた場合でも制御装置（５）の処理負担が大きくなりにくいという利点がある。
【０１３０】
第１３の態様に係る制御用プログラムは、コンピュータシステムに、第１２の態様に係るインターホンシステム（１０）の制御方法を実行させるためのプログラムである。
【０１３１】
この態様によれば、収納装置（９）の個数が増えた場合でも制御装置（５）の処理負担が大きくなりにくいという利点がある。
【０１３２】
第２〜１０の態様に係る構成については、インターホンシステム（１０）の必須の構成ではなく、適宜省略可能である。
【符号の説明】
【０１３３】
１  第１端末
２，３Ａ  第２端末
８  入力装置
９  収納装置
９Ａ  他の収納装置
１０  インターホンシステム
１６  第１操作部（端末側操作部）
３１  第３通信部（出力部、取得部）
３６Ａ  第３操作部（ロビー操作部）
３９  取得部
４１  報知部
１００  集合施設
１０１  第１施設
１０２，１０３  第２施設
【図１】
2020053717.tif 000003
【図２】
2020053717.tif 000004
【図３】
2020053717.tif 000005
【図４】
2020053717.tif 000006
【図５】
2020053717.tif 000007